(57)【特許請求の範囲】
【請求項１】
製品製作に関する複数の単位作業からなる作業計画を表示すると共に、前記製品の設計データに基づいて前記作業計画の表示領域上に該製品の画像情報としてのサムネイルを表示する作業計画表示システムであって、
前記作業計画表示システムは、前記製品の前記設計データに付与された該設計データを作成した設計者の意図、予め設定された更新時間、前記設計データ作成の進捗情報、および、前記設計データが変更された際の該設計データの変更箇所と前記サムネイルを作成する際の視点座標との関係のうちの少なくとも一つに基づいて、前記サムネイルを表示するか否か、もしくは前記サムネイルを更新するか否かを判断するようになっている作業計画表示システム。
【請求項２】
前記作業計画表示システムは、前記作業計画の前記単位作業の表示領域上に該単位作業の作業対象となる製品のサムネイルを表示するようになっている、請求項１に記載の作業計画表示システム。
【請求項３】
前記作業計画表示システムは、前記設計データの座標情報に基づいて前記サムネイルを作成するようになっている、請求項１または２に記載の作業計画表示システム。
【請求項４】
前記作業計画表示システムは、前記製品の前記設計データに付与された該設計データを作成した設計者の意図、予め設定された更新時間、および、前記設計データ作成の進捗情報のうちの少なくとも一つに基づいて、前記サムネイルを表示するか否か、もしくは前記サムネイルを更新するか否かを判断し、前記サムネイルを表示もしくは更新すると判断した場合に、前記設計データの座標情報に基づいて視点座標を特定して前記サムネイルを作成するようになっている、請求項１から３のいずれか一項に記載の作業計画表示システム。
【請求項５】
前記作業計画表示システムは、変更前の前記設計データと変更後の前記設計データを比較して前記変更箇所を特定し、該変更箇所が前記サムネイルの表示領域内に存在するか否かに基づいて前記サムネイルを表示するか否か、もしくは前記サムネイルを更新するか否かを判断するようになっている、請求項１から３のいずれか一項に記載の作業計画表示システム。
【請求項６】
前記作業計画表示システムは、前記サムネイルを表示もしくは更新すると判断した場合に、変更後の前記設計データの座標情報に基づいて前記サムネイルを作成するようになっている、請求項５に記載の作業計画表示システム。
【発明の詳細な説明】
【技術分野】
【０００１】
本発明は作業計画表示システムに関し、たとえば、生産設備製作工程におけるＮＣ工作機によるＮＣ作業の作業計画を表示する作業計画表示システムに関するものである。
【背景技術】
【０００２】
従来から、たとえば自動車等に適用される各種部品（たとえば、モータや電池、半導体等）を製造するために用いられる生産設備は、ＮＣ（Numerical Control）工作機によって当該生産設備を構成する複数の構成部品を個別に製造し、それら複数の構成部品を組み合わせることで製作されている。
【０００３】
近年、このような生産設備の構成部品を製造するために、複数のＮＣ工作機を複数の加工ラインに配置し、それら各加工ラインに配置されたＮＣ工作機の稼働状況を中央のコンピュータで一括管理する（群管理（ＤＮＣ：Direct Numerical Control））ことで、生産設備製作のリードタイムの短縮と製造コストの抑制が図られている。また、群管理される複数のＮＣ工作機の加工状況等の管理データは、中央コンピュータに設けられた画面上で同時に表示され、管理者や作業者等が複数のＮＣ工作機の加工状況を一時に確認できるようになっている。
【０００４】
ところで、上記した生産設備製作工程においては、群管理される各ＮＣ工作機の作業計画を作成して画面上に表示する際、管理者や作業者等が各ＮＣ工作機の作業対象や作業内容を当該画面から容易かつ迅速に把握し得ることが要望されており、そのような要請に対する従来技術が特許文献１に開示されている。
【０００５】
特許文献１に開示されている従来技術は、各部品の製作に要する各基準工順をテーブル化した基準工順テーブルと、各基準工順が発生するか否かの条件判断式を外部関数により記述した条件判断テーブルと、を作成し、少なくともＣＡＤ情報、部品情報および作業情報から作業要因となるファクタを抽出し、前記基準工順テーブルから読み込んだ基準工順と前記抽出ファクタとの比較により発生する作業内容を確定して、基準工順を配列し、各基準工順の判定が分かれる工順発生判断部に前記条件判断テーブルを読み込んで、その条件判断式により工順発生の有無を判断して自動で製作工順を設定し、その後、画像情報として部品サムネイルを作成する技術である。
【先行技術文献】
【特許文献】
【０００６】
【特許文献１】特開２００７−２３３７６２号公報
【発明の概要】
【発明が解決しようとする課題】
【０００７】
特許文献１に開示されている従来技術によれば、画像情報として部品サムネイルを作成することで、自動作成された各工順での部品取り付け状態（ネットワーク）から、組み付け・ばらし工順の状態をビューワデータとして作成することができ、製作部署においてＣＡＤ画面上で機械加工、ばらし、組み付け等といった製作工順を確認することができる。
【０００８】
しかしながら、特許文献１に開示されるような従来技術においては、各部品の設計データ（ＣＡＤデータ）が保存もしくは更新されると、それに応じて部品サムネイルも更新もしくは差替られて表示されるため、システム負荷が増大するといった問題や、たとえばＣＡＤデータの設計者が検討用等に予備的に作成したＣＡＤデータに基づいて部品サムネイルが更新もしくは差替られてしまうといった問題が生じ得る。
【０００９】
また、特許文献１に開示されるような従来技術においては、各部品の設計データ（ＣＡＤデータ）の変更箇所がサムネイルに現れない場合には、本来はデータ更新の必要がないにも関わらず、設計者による設計データの変更に伴って部品サムネイルも更新もしくは差替られるため、システム負荷が更に増大するといった問題が生じ得る。
【００１０】
本発明は上記する課題に鑑みてなされたものであり、製品に対する作業計画を表示すると共に、前記製品の設計データに基づいて前記作業計画の表示領域上に該製品の画像情報としてのサムネイルを表示する作業計画表示システムにおいて、システム負荷の増大を抑制しながら、適切なサムネイルを表示することのできる作業計画表示システムを提供することを目的とする。
【課題を解決するための手段】
【００１１】
前記目的を達成すべく、本発明の作業計画作成システムは、製品製作に関する複数の単位作業からなる作業計画を表示すると共に、前記製品の設計データに基づいて前記作業計画の表示領域上に該製品の画像情報としてのサムネイルを表示する作業計画表示システムであって、前記作業計画表示システムは、前記製品の前記設計データに付与された該設計データを作成した設計者の意図、予め設定された更新時間、前記設計データ作成の進捗情報、および、前記設計データが変更された際の該設計データの変更箇所と前記サムネイルを作成する際の視点座標との関係のうちの少なくとも一つに基づいて、前記サムネイルを表示もしくは更新するか否かを判断するようになっているシステムである。
【００１２】
上記する作業計画表示システムによれば、製作対象となる製品の設計データに付与された該設計データを作成した設計者の意図、予め設定された更新時間、設計データ作成の進捗情報、および、設計データが変更された際の該設計データの変更箇所とサムネイルを作成する際の視点座標との関係のうちの少なくとも一つに基づいて、前記製品のサムネイルを表示もしくは更新するか否かを判断することによって、設計データ作成の進捗状況や完成度等に応じた適切なタイミングで製品のサムネイルを表示もしくは更新できるため、システム負荷の増大を抑制しながら、適切なサムネイルを表示することができる。よって、管理者や作業者等がたとえば各ＮＣ工作機の作業対象や作業内容を表示画面から容易かつ精緻に把握することができ、たとえば生産設備製作の作業性を格段に高めることができる。
【００１３】
また、上記する作業計画表示システムは、前記作業計画の前記単位作業の表示領域上に該単位作業の作業対象となる製品のサムネイルを表示するようになっているシステムである。
【００１４】
上記する作業計画表示システムによれば、作業計画の単位作業の表示領域上に該単位作業の作業対象となる製品のサムネイルを表示することによって、管理者や作業者等が作業計画の単位作業の作業対象となる製品やその作業内容等を表示画面から容易かつ確実に把握することができ、たとえば生産設備製作の作業性を更に高めることができる。
【００１５】
また、上記する作業計画表示システムは、前記作業計画表示システムは、前記設計データの座標情報に基づいて前記サムネイルを作成するようになっているシステムである。
【００１６】
上記する作業計画表示システムによれば、製作対象となる製品の設計データの座標情報に基づいて前記製品のサムネイルを作成することによって、製作対象となる製品に応じたサムネイルを作成することができるため、管理者や作業者等がたとえば各ＮＣ工作機の作業対象や作業内容を表示画面から容易かつ精緻に把握することができ、たとえば生産設備製作の作業性をより一層高めることができる。
【発明の効果】
【００１７】
以上の説明から理解できるように、本発明の作業計画表示システムによれば、製品に対する作業計画を表示すると共に、前記製品の設計データに基づいて前記作業計画の表示領域上に該製品の画像情報としてのサムネイルを表示する作業計画表示システムにおいて、システム負荷の増大を抑制しながら、適切なサムネイルを表示することができるため、管理者や作業者等がたとえば各ＮＣ工作機の作業対象や作業内容を表示画面から容易かつ精緻に把握することができ、たとえば生産設備製作の作業性あるいは作業効率を格段に高めることができる。
【図面の簡単な説明】
【００１８】
【図１】本発明の作業計画表示システムの実施の形態１が適用される設備製作・管理支援システムの基本構成を示す基本構成図である。
【図２】図１で示す日程計画作成部によって作成される作業計画の一例を示す図である。
【図３】図１で示す日程計画作成部によって作成される作業計画の他例を示す図である。
【図４】図１で示す日程計画作成部による表示処理フローを説明したフロー図である。
【図５】本発明の作業計画表示システムの実施の形態２による表示処理フローを説明したフロー図である。
【図６】本発明の作業計画表示システムの実施の形態３が適用される設備製作・管理支援システムの基本構成を示す基本構成図である。
【図７】図６で示す日程計画作成部による表示処理フローを説明したフロー図である。
【図８】本発明の作業計画表示システムの実施の形態４による表示処理フローを説明したフロー図である。
【発明を実施するための形態】
【００１９】
以下、図面を参照して本発明の実施の形態を説明する。なお、以下では、主に、複数の加工ラインに配置された複数のＮＣ工作機を使用して製作対象となる製品を製作するための生産設備を製作する生産設備製作工程において、各ＮＣ工作機毎の作業計画を作成して表示する作業計画表示システムについて具体的に説明する。
【００２０】
［実施の形態１］
図１は、本発明の作業計画表示システムの実施の形態１が適用される設備製作・管理支援システムの基本構成を示す基本構成図である。ここで、設備製作・管理支援システム１０は、たとえば、製作する設備や機械又はその構成部品に関する設計データ（ＣＡＤデータ）を作成するＣＡＤシステム２０、使用する材料や部品の発注や購買に関する調達データを作成する調達システム３０、作業の着手や完了、作業に要した作業時間、作業を担当した作業者等の作業に関する実績データを集計する実績収集システム４０等と連携して、設備や機械の製作やその管理を支援するようになっている。なお、設備製作・管理支援システム１０には、作業者や管理者等から各種データを入力したり、作業者や管理者等に対して演算結果や作業指示等を表示するための入力端末５０が接続されている。
【００２１】
図示する設備製作・管理支援システム１０は、主に、製作依頼の処理や管理番号の付与などを行う受注システム１と、受注システム１により作成された情報やＣＡＤシステム２０によって作成された設計データ、調達システム３０により作成された調達データに基づいて、製作する設備や機械又はその構成部品に関するリストや図面等を作成する部品表システム２と、部品表システム２により作成された情報と調達システム３０により作成された調達データ等に基づいて、各製作ラインもしくは加工ラインの製作計画や作業者等に対する作業指示を作成する設備製作システム３と、を備えている。
【００２２】
また、設備製作・管理支援システム１０の設備製作システム３は、部品表システム２により作成された情報（製作する設備や機械又はその構成部品に関する情報）と調達システム３０により作成された調達データ等に基づいて、「部品製作（加工）」、「ユニット製作（サブ組付）」、「総組付」等の各作業工程に関する工程計画を作成する工程計画作成部４と、各作業工程における作業者等の作業に関する作業計画を作成して表示する日程計画作成部（作業計画表示システム）５と、工程計画作成部４および日程計画作成部５により作成された工程計画および作業計画に基づいて作業者等への指示票を作成する作業指示作成部６と、を有している。
【００２３】
図２は、図１に示す日程計画作成部５によって作成された作業計画の一例を示したものである。図２中、縦軸は主に各加工ラインに配置されたＮＣ工作機の識別記号、横軸は計画（日時）を表しており、日程計画作成部５によって作成された作業計画の各単位作業がＮＣ工作機単位で矩形状のブロックの「作業バー」として表されている。また、図２の下方の「未確定」領域には、計画段階でいずれのＮＣ工作機にも割付けられなかった作業が表示される。たとえば設計変更による突発作業や重要作業など、自動的に作業計画に組み込むのではなく、その時の状況に応じて流動的に変更（たとえば手動で変更）しながら計画したい作業がこの「未確定」領域に表示される。
【００２４】
なお、図２で示す作業計画はたとえばタッチパネル画面等に表示されており、タップ＆スライド等の操作によって作業者等の所望に応じて作業計画を変更することができる。たとえば、作業者等は、タップ＆スライド等の操作によって、あるＮＣ工作機のある作業を別のＮＣ工作機に付与したり、あるＮＣ工作機のある作業の時期や納期等を変更することができる。
【００２５】
また、図２で示す作業計画は、作業者や管理者等の所定の操作（たとえば図２の上部に配されたタブの選択や縦軸のＮＣ工作機の欄の選択等）に応じて、図３で示すように、各ＮＣ工作機毎の作業計画として画面上に表示させることもできる。その際、作業者等は、タップ＆スライド等の操作によって「未確定」領域に表示される作業をそのＮＣ工作機の所望の時期に計画する（割付ける）ことができる。また、作業者等は、各ＮＣ工作機で計画された作業の一部をタップ＆スライド等の操作によって「未確定」領域に移動させることもできる。
【００２６】
さらに、図２や図３で示す作業計画の単位作業の表示領域上（「作業バー」内）には、管理者や作業者等が各ＮＣ工作機の作業対象や作業内容を把握もしくは理解し易いように、その単位作業の作業対象（製作対象）となる製品の設計データ（ＣＡＤデータ）に基づいて当該製品の画像情報（イメージデータ）としてのサムネイルが表示される（特に、図２参照）。なお、サムネイルが表示される「作業バー」は、たとえば、製作対象となる製品の重要度や緊急度（納期）や形状、「作業バー」の大きさ等に基づいて適宜に設定することができる。
【００２７】
以下、図１で示す日程計画作成部（作業計画表示システム）５による作業計画の表示方法、特にその作業計画の「作業バー」におけるサムネイルの表示方法について図４を参照して具体的に説明する。なお、この日程計画作成部５は、実績収集システム４０から送信される各作業の進捗状況等に基づいて、たとえば一日の作業終了後に翌日の作業開始時間までに各単位作業の作業計画を再構築し、その作業計画をたとえば入力端末５０の表示装置等に表示するようになっている。
【００２８】
ここで、設計データ（ＣＡＤデータ）が保存もしくは更新される毎に「作業バー」内に表示されるサムネイルが更新もしくは差替られると、たとえばＣＡＤデータの設計者が検討用等に予備的なＣＡＤデータを作成した場合にそのＣＡＤデータに基づいてサムネイルが更新もしくは差替られてしまう。そこで、日程計画作成部５は、製作対象となる製品のＣＡＤデータに付与された該ＣＡＤデータを作成した設計者の意図に基づいて、「作業バー」内のサムネイルを表示もしくは更新するか否かを判断するようになっている。
【００２９】
具体的には、日程計画作成部５は、図４で示すように、まず、各ＮＣ工作機について、部品表システム２や調達システム３０、実績収集システム４０等から送信される情報等に基づいて、製作対象となる製品を製作するための生産設備を製作する複数の単位作業からなる作業計画を作成する（ＳＴＥＰ１００）。
【００３０】
次いで、日程計画作成部５は、設計者により作成された各単位作業の作業対象となる製品のＣＡＤデータを取込む（ＳＴＥＰ２００）。ここで、取込まれるＣＡＤデータに関して設計者がサムネイルとして使用してよいと考えている場合には、当該設計者によりそのＣＡＤデータに予め「サムネイル更新許可フラグ」が付与されている。なお、「サムネイル更新許可フラグ」が付与されている、すなわちサムネイルの表示もしくは更新を許可するＣＡＤデータには、たとえば製作番号や追加コードなどの製品に関する付帯情報を付与してもよい。また、その「サムネイル更新許可フラグ」は、設計者がＣＡＤデータを変更した後にその変更の度合いや変更箇所等に基づいて付与するか否かを判断した上で付与してもよいし、設計者がＣＡＤデータを変更する前に事前に付与してもよい。より具体的には、たとえば、ＣＡＤシステム２０の表示画面上に「更新許可ボタン」を設定し、設計者が更新すべきＣＡＤデータを変更した後にその「更新許可ボタン」をクリックすることで「サムネイル更新許可フラグ」を付与してもよい。なお、その場合には、日程計画作成部５は、「更新許可ボタン」に関する信号（設計者が「更新許可ボタン」をクリックしたという信号）を検出し、その信号が検出された場合にのみＣＡＤデータを取込むこともできる。
【００３１】
次に、日程計画作成部５は、ＳＴＥＰ２００で定期的に取込まれたＣＡＤデータに「サムネイル更新許可フラグ」が付与されているか否かを判断し（ＳＴＥＰ３００）、「サムネイル更新許可フラグ」が付与されていないと判断した場合には、設計者がそのＣＡＤデータに基づいてサムネイルを更新する意思がないと判断して処理を終了する。すなわち、「サムネイル更新許可フラグ」が付与されていないと判断した場合には、新たなサムネイルの表示もしくは更新を行わず、たとえばそれ以前に作成されたサムネイルが存在する場合には、そのサムネイルを作業計画の「作業バー」内に表示させる。
【００３２】
一方で、「サムネイル更新許可フラグ」が付与されていると判断した場合には、日程計画作成部５は、設計者がそのＣＡＤデータに基づいてサムネイルを更新する意思があると判断し、そのＣＡＤデータが有する座標情報に基づいて表示画像（サムネイル）を作成する（ＳＴＥＰ４００）。具体的には、日程計画作成部５は、ＣＡＤデータが有する座標情報に基づき視点座標（製品を視る視点となる座標）を設定し、設定された視点座標から視た際の製作対象となる製品の形状をＣＡＤデータから画像情報（イメージデータ）に変換してサムネイルを作成する。ここで、サムネイルを作成する際に用いる視点座標は、たとえば「形状特徴マイニング技術」等を用いて製作対象となる製品の形状の特徴が最も現れるように自動的に選択してもよい。また、前記視点座標は、管理者や作業者等が必要に応じて入力端末５０等を介して入力できるようにしておくことが望ましい。前記視点座標を任意に変更することにより、たとえば、当初では内部（構造）視を表示し、作業途中から外観視を表示することが可能となる。これにより、作業対象となる製品の内部を加工する工程と外部を加工する工程で特徴的な部分の表示（サムネイル）を切り替える（使い分ける）ことが可能となり、作業者がより直観的に対象部品や工程をイメージでき、生産設備製作の作業性や作業・加工効率を高めることができる。
【００３３】
そして、日程計画作成部５は、ＳＴＥＰ１００で作成された作業計画の単位作業を表す「作業バー」内に、ＳＴＥＰ４００で作成されたサムネイル（その単位作業の作業対象となる製品に関するサムネイル）を適宜の大きさで表示させて（ＳＴＥＰ５００）、処理を終了する。ここで、それ以前に作成されたサムネイルが「作業バー」内に存在する場合には、そのサムネイルをＳＴＥＰ４００で新たに作成されたサムネイルで更新して表示させる。
【００３４】
このように、本実施の形態１によれば、製作対象となる製品の設計データ（ＣＡＤデータ）に付与された該ＣＡＤデータを作成した設計者の意図に基づいて、「作業バー」内のサムネイルを表示もしくは更新することにより、設計データ作成の進捗状況や完成度等に応じた適切なタイミングで製品の特徴を表すサムネイルを表示もしくは更新できるため、システム負荷の増大を抑制しながら、適切なサムネイルを表示することができる。よって、管理者や作業者等が各ＮＣ工作機の作業対象や作業内容を表示画面から容易かつ精緻に把握することができ、生産設備製作の作業性を格段に高めることができる。
【００３５】
［実施の形態２］
図５は、本発明の作業計画表示システム（日程計画作成部５）の実施の形態２による表示処理フローを説明したフロー図である。この実施の形態２では、ＣＡＤデータを作成した設計者の意図に代えて、予め設定された更新時間に基づいて「作業バー」内のサムネイルを表示もしくは更新するか否かを判断するようになっており、その他の構成は上記した実施の形態１とほぼ同様である。したがって、実施の形態１と同様の構成については同様の符号を付してその詳細な説明は省略する。
【００３６】
実施の形態２の日程計画作成部５は、図５で示すように、まず、上記した実施の形態１と同様、各ＮＣ工作機について、部品表システム２や調達システム３０、実績収集システム４０等から送信される情報等に基づいて、製作対象となる製品を製作するための生産設備を製作する複数の単位作業からなる作業計画を作成する（ＳＴＥＰ１００）。次いで、日程計画作成部５は、設計者により作成された各単位作業の作業対象となる製品のＣＡＤデータを取込む（ＳＴＥＰ２００）。
【００３７】
本実施の形態２では、予め設定された更新時間を含む「カレンダー情報」が所定箇所に事前に記憶されており、日程計画作成部５は、その更新時間を含む「カレンダー情報」を取込む（ＳＴＥＰ３２０）。ここで、「カレンダー情報」の更新時間としては、たとえば「出図日」等といった設計上のマイルストーンとなり得る日時を採用することができる。
【００３８】
次に、日程計画作成部５は、ＳＴＥＰ３２０で取込んだ「カレンダー情報」と現時点の日時から、更新時間が到来したか否かを判断し（ＳＴＥＰ３２１）、更新時間が到来していないと判断した場合には、サムネイルを更新する時期ではないと判断して処理を終了する。
【００３９】
一方で、更新時間が到来したと判断した場合には、日程計画作成部５は、サムネイルを更新する時期であると判断し、ＳＴＥＰ２００で取込まれたＣＡＤデータが有する座標情報に基づいて表示画像（サムネイル）を作成する（ＳＴＥＰ４００）。
【００４０】
そして、日程計画作成部５は、ＳＴＥＰ１００で作成された作業計画の単位作業を表す「作業バー」内に、ＳＴＥＰ４００で作成されたサムネイル（その単位作業の作業対象となる製品に関するサムネイル）を表示させて（ＳＴＥＰ５００）、処理を終了する。ここで、それ以前に作成されたサムネイルが「作業バー」内に存在する場合には、そのサムネイルをＳＴＥＰ４００で新たに作成されたサムネイルで更新して表示させる。
【００４１】
このように、本実施の形態２によれば、「出図日」等といった設計に関する予め設定された更新時間に基づいて、「作業バー」内のサムネイルを表示もしくは更新することにより、設計データ作成の進捗状況や完成度等に応じた適切なタイミングで製品の特徴を表すサムネイルを表示もしくは更新できるため、システム負荷の増大を抑制しながら、適切なサムネイルを表示することができる。
【００４２】
［実施の形態３］
図６は、本発明の作業計画表示システム（日程計画作成部５）の実施の形態３が適用される設備製作・管理支援システムの基本構成を示す基本構成図であり、図７は、図６で示す日程計画作成部による表示処理フローを説明したフロー図である。この実施の形態３では、ＣＡＤデータを作成した設計者の意図や予め設定された更新時間に代えて、設計データ作成の進捗情報に基づいて「作業バー」内のサムネイルを表示もしくは更新するか否かを判断するようになっており、その他の構成は上記した実施の形態１、２とほぼ同様である。したがって、実施の形態１、２と同様の構成については同様の符号を付してその詳細な説明は省略する。
【００４３】
実施の形態３の作業計画表示システム（日程計画作成部５）が適用される設備製作・管理支援システム１０は、図６で示すように、受注システム１や部品表システム２、設備製作システム３に加えて、設計管理システム１１を有している。
【００４４】
設計管理システム１１は、ＣＡＤシステム２０や調達システム３０等から送信される「設計に関する業務計画または作業計画」と、実績収集システム４０等から送信される「設計者による業務または作業の着手信号もしくは完了信号」とに基づいて、設計データ（ＣＡＤデータ）作成の進捗状況（進捗情報）を管理している。この設計管理システム１１では、上記した設計進捗管理において、たとえば「構想設計工程」や「詳細設計工程」、「部品表入力工程」等といった設計に関する業務または作業工程が複数設定されており、作業者が実績収集システム４０にて各工程に対応するように業務または作業の着手情報もしくは完了情報を入力することで、設計管理システム１１内の各工程に「着手フラグ」や「完了フラグ」が付与されるようになっている。また、この設計管理システム１１では、業務または作業を完了する（すなわち、「完了フラグ」が付与される）とサムネイル更新可となる更新判断工程（たとえば「構想設計工程」）が予め設定されている。設備製作システム３の日程計画作成部５は、設計管理システム１１からそのような設計データ作成の進捗情報を取込んで、更新判断工程に「完了フラグ」が付与されている場合に、「作業バー」内のサムネイルを表示もしくは更新するようになっている。
【００４５】
具体的には、実施の形態３の日程計画作成部５は、図７で示すように、まず、上記した実施の形態１と同様、各ＮＣ工作機について、部品表システム２や調達システム３０、実績収集システム４０等から送信される情報等に基づいて、製作対象となる製品を製作するための生産設備を製作する複数の単位作業からなる作業計画を作成する（ＳＴＥＰ１００）。次いで、日程計画作成部５は、設計者により作成された各単位作業の作業対象となる製品のＣＡＤデータを取込む（ＳＴＥＰ２００）。
【００４６】
次に、日程計画作成部５は、設計管理システム１１から上記した設計データ作成の進捗情報を取込む（ＳＴＥＰ３３０）。次に、日程計画作成部５は、ＳＴＥＰ３３０で取込んだ進捗情報のうち、ＳＴＥＰ２００で取込まれたＣＡＤデータに関する更新判断工程（たとえば「構想設計工程」）に「完了フラグ」が付与されているか否かを判断し（ＳＴＥＰ３３１）、その更新判断工程に「完了フラグ」が付与されていないと判断した場合には、サムネイルを更新する時期ではないと判断して処理を終了する。
【００４７】
一方、その更新判断工程に「完了フラグ」が付与されていると判断した場合には、日程計画作成部５は、サムネイルを更新する時期であると判断し、ＳＴＥＰ２００で取込まれたＣＡＤデータが有する座標情報に基づいて表示画像（サムネイル）を作成する（ＳＴＥＰ４００）。
【００４８】
そして、日程計画作成部５は、ＳＴＥＰ１００で作成された作業計画の単位作業を表す「作業バー」内に、ＳＴＥＰ４００で作成されたサムネイル（その単位作業の作業対象となる製品に関するサムネイル）を表示させて（ＳＴＥＰ５００）、処理を終了する。ここで、それ以前に作成されたサムネイルが「作業バー」内に存在する場合には、そのサムネイルをＳＴＥＰ４００で新たに作成されたサムネイルで更新して表示させる。
【００４９】
このように、本実施の形態３によれば、設計管理システム１１内の設計データ作成の進捗情報に基づいて、具体的には設計に関する各工程のうち更新判断工程が完了した場合に「作業バー」内のサムネイルを表示もしくは更新することにより、設計データ作成の進捗状況や完成度等に応じた適切なタイミングで製品の特徴を表すサムネイルを表示もしくは更新できるため、システム負荷の増大を抑制しながら、適切なサムネイルを表示することができる。
【００５０】
なお、上記した実施の形態３では、設計に関する複数の工程のうちの一つ（たとえば「構想設計工程」）を更新判断工程とする形態について説明したが、たとえば複数の工程（たとえば「構想設計工程」と「詳細設計」等）を更新判断工程とし、各更新判断工程が完了する毎にサムネイルを自動的に更新してもよい。
【００５１】
［実施の形態４］
図８は、本発明の作業計画表示システム（日程計画作成部５）の実施の形態４による表示処理フローを説明したフロー図である。この実施の形態４では、設計データ作成の進捗情報に代えて、設計データが変更された際の該設計データの変更箇所とサムネイルを作成する際の視点座標との関係に基づいて「作業バー」内のサムネイルを表示もしくは更新するか否かを判断するようになっており、その他の構成は上記した実施の形態３とほぼ同様である。したがって、実施の形態３と同様の構成については同様の符号を付してその詳細な説明は省略する。
【００５２】
実施の形態４の日程計画作成部５は、図８で示すように、まず、上記した実施の形態１と同様、各ＮＣ工作機について、部品表システム２や調達システム３０、実績収集システム４０等から送信される情報等に基づいて、製作対象となる製品を製作するための生産設備を製作する複数の単位作業からなる作業計画を作成する（ＳＴＥＰ１００）。次いで、日程計画作成部５は、設計者により作成された各単位作業の作業対象となる製品のＣＡＤデータを取込む（ＳＴＥＰ２００）。次に、日程計画作成部５は、ＳＴＥＰ２００で取込まれたＣＡＤデータが有する座標情報に基づいて表示画像（サムネイル）を作成する（ＳＴＥＰ４００）。次に、日程計画作成部５は、ＳＴＥＰ１００で作成された作業計画の単位作業を表す「作業バー」内に、ＳＴＥＰ４００で作成されたサムネイルを表示させる（ＳＴＥＰ５００）。ここで、それ以前に作成されたサムネイルが「作業バー」内に存在する場合には、そのサムネイルをＳＴＥＰ４００で新たに作成されたサムネイルで更新して表示させる。
【００５３】
ここで、設備製作・管理支援システム１０の設計管理システム１１（図６参照）には、たとえば設計者によるＣＡＤデータに関する確定入力（「ＣＡＤデータ確定フラグ」の付与）やＣＡＤデータ作成の進捗情報などに基づいて、設計データ（ＣＡＤデータ）が最終的に確定されたか否か（すなわち、今後ＣＡＤデータの変更や更新が無い状態となったか否か）に関する情報が記憶されている。
【００５４】
日程計画作成部５は、定期的に、前記設計管理システム１１から上記の情報を取込んでＣＡＤデータが確定されたか否かを判断し（ＳＴＥＰ６００）、ＣＡＤデータが確定されたと判断した場合には、サムネイルを更新する必要がないと判断して処理を終了する。
【００５５】
一方、ＣＡＤデータが確定されていないと判断した場合には、日程計画作成部５は、所定のタイミングで、前記設計管理システム１１からＣＡＤデータの変更の有無に関する情報を取込んでＣＡＤデータが変更された否かを判断し（ＳＴＥＰ７００）、ＣＡＤデータが変更されていないと判断した場合には、ＳＴＥＰ６００へ戻る。
【００５６】
また、ＣＡＤデータが変更されたと判断した場合には、日程計画作成部５は、上記した実施の形態１〜３の「サムネイル更新許可フラグ」、「カレンダー情報」の更新時間、設計データ作成の進捗情報の更新判断工程の「完了フラグ」などといったサムネイル更新許可情報があるか否かを判断し（ＳＴＥＰ８００）、そのようなサムネイル更新許可情報がないと判断した場合には、ＳＴＥＰ６００へ戻る。
【００５７】
一方、サムネイル更新許可情報があると判断した場合には、日程計画作成部５は、ＳＴＥＰ７００で変更されたと判断されたＣＡＤデータを取込む（ＳＴＥＰ９００）。次いで、日程計画作成部５は、ＳＴＥＰ２００で取込んだ当初のＣＡＤデータとＳＴＥＰ９００で取込んだ変更後のＣＡＤデータを比較して変更箇所を特定し、ＣＡＤデータの変更箇所がサムネイルの表示領域内（サムネイルの外形線内）に存在するか否か、すなわちＣＡＤデータの変更箇所が画面上で見えるか否かを判断する（ＳＴＥＰ１０００）。なお、このＳＴＥＰ１０００における判断は、ＣＡＤデータの変更箇所とＳＴＥＰ４００で設定されたサムネイル作成時の視点座標との関係に基づいて行われる。
【００５８】
日程計画作成部５は、ＣＡＤデータの変更箇所がサムネイルの表示領域内に存在しないと判断した場合には、サムネイルを更新する必要がないと判断してＳＴＥＰ６００へ戻る。一方で、ＣＡＤデータの変更箇所がサムネイルの表示領域内に存在すると判断した場合には、サムネイルを更新する必要があると判断し、ＳＴＥＰ９００で取込んだ変更後のＣＡＤデータが有する座標情報に基づいて表示画像（サムネイル）を作成（更新）する（ＳＴＥＰ１１００）。具体的には、日程計画作成部５は、ＳＴＥＰ９００で取込んだ変更後のＣＡＤデータをＳＴＥＰ４００で設定された視点座標から視た画像情報（イメージデータ）に変換して新たなサムネイルを作成し、ＳＴＥＰ１００で作成された作業計画の単位作業を表す「作業バー」内に、ＳＴＥＰ１１００で作成（更新）されたサムネイルを表示させ（ＳＴＥＰ５００）、ＳＴＥＰ５００で既に表示された「作業バー」内のサムネイルを新たに作成されたサムネイルで更新する。
【００５９】
このように、本実施の形態４によれば、ＣＡＤデータが変更された際の該ＣＡＤデータの変更箇所とサムネイルを作成する際の視点座標との関係に基づいて、具体的にはＣＡＤデータの変更箇所がサムネイルの表示領域内に存在する場合に「作業バー」内のサムネイルを表示もしくは更新することにより、サムネイルを更新する必要がある場合に製品の特徴を表すサムネイルを表示もしくは更新できるため、システム負荷の増大を抑制しながら、適切なサムネイルを表示することができる。
【００６０】
なお、上記する実施の形態４では、ＣＡＤデータの変更箇所がサムネイルとしての表示領域内に存在すると判断した場合には、変更後のＣＡＤデータ全体を画像情報に変換して表示画像（サムネイル）を作成する形態について説明したが、システム負荷を更に低減するために、たとえば、変更後のＣＡＤデータのうち画面上で視える部分のみを画像情報に変換して表示画像（サムネイル）を作成してもよい。なお、ＣＡＤデータのうち画面上で視える部分は、たとえばサムネイルを作成する際に設定される視点座標等に基づいて予め特定することができる。
【００６１】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００６２】
１…受注システム、２…部品表システム、３…設備製作システム、４…工程計画作成部、５…日程計画作成部（作業計画表示システム）、６…作業指示作成部、１０…設備製作・管理支援システム、１１…設計管理システム
【図１】
0005929950.tif 000002
【図２】
0005929950.tif 000003
【図３】
0005929950.tif 000004
【図４】
0005929950.tif 000005
【図５】
0005929950.tif 000006
【図６】
0005929950.tif 000007
【図７】
0005929950.tif 000008
【図８】
0005929950.tif 000009